(57)【要約】      （修正有）【課題】識別番号が登録されているデータベースから指定された識別番号を効率よく検索する。【解決手段】識別番号検索システムを、検索対象とする識別番号を入力識別番号として取得する入力識別番号取得部２１と、紙葉類から取得した識別番号である登録識別番号及び識別番号を撮像した画像である登録画像が登録されている識別番号データベース４０と、入力識別番号と登録識別番号との比較結果に応じて評価値が設定された評価値テーブル５０を保存する記憶部３０と、各登録識別番号と入力識別番号とを比較して、比較結果に応じて評価値テーブルに設定されている評価値を取得すると共に、各桁の評価値を合計して各登録識別番号の評価値を算出する評価値算出部２２と、評価値に基づいて入力識別番号と一致する可能性がある登録識別番号を選択する登録識別番号選択部２３と、選択された登録識別番号に対応する登録画像を表示するための表示部１１とにより構成する。【選択図】図２
2016177383.tif 000002
【特許請求の範囲】
【請求項１】
検索対象とする識別番号を入力識別番号として取得する入力識別番号取得部と、
紙葉類から取得した識別番号が登録識別番号として登録され、前記識別番号を含むように前記紙葉類を撮像した画像が登録画像として登録されている識別番号データベースと、
前記入力識別番号と前記登録識別番号との間で対応する桁を比較した比較結果に応じて前記桁に付与する評価値が設定されている評価値テーブルを保存する記憶部と、
前記識別番号データベースに保存されている各登録識別番号と前記入力識別番号との間で対応する各桁を比較して、比較結果に応じて、前記評価値テーブルに設定されている評価値を取得すると共に、各桁について取得した評価値を合計して各登録識別番号の評価値を算出する評価値算出部と、
各登録識別番号の評価値に基づいて、前記入力識別番号と一致する可能性がある登録識別番号を選択する登録識別番号選択部と、
前記登録識別番号選択部で選択された登録識別番号に対応する登録画像を表示するための表示部と
を備えることを特徴とする識別番号検索システム。
【請求項２】
前記評価値テーブルでは、
前記登録識別番号の文字と前記入力識別番号の対応する桁の文字とが一致する場合と一致しない場合とで異なる評価値が設定され、
一致しない場合については、前記登録識別番号の文字が実際には前記入力識別番号の対応する桁の文字と一致している確率に基づいて評価値が設定されている
ことを特徴とする請求項１に記載の識別番号検索システム。
【請求項３】
前記評価値テーブルは、前記登録識別番号の文字が、前記入力識別番号の対応する桁の文字を文字認識した際に誤認識して得られた文字である確率を含むテーブルと、前記確率に応じて設定された評価値を含むテーブルとによって構成されることを特徴とする請求項２に記載の識別番号検索システム。
【請求項４】
前記評価値テーブルでは、前記評価値が、前記登録識別番号に含まれる文字の種類別に分けて設定されていることを特徴とする請求項１〜３のいずれか１項に記載の識別番号検索システム。
【請求項５】
前記評価値テーブルは、
前記登録識別番号の文字と前記入力識別番号の対応する桁の文字とが一致する場合と一致しない場合とで異なる値が設定された第１評価値と、
前記登録識別番号の文字と前記入力識別番号の対応する桁の文字とが一致する場合と一致しない場合とで異なる値が設定されると共に、さらに一致しない場合について、前記登録識別番号の文字が実際には前記入力識別番号の対応する桁の文字と一致している確率に基づいて異なる値が設定された第２評価値と
の２種類の評価値を含み、
前記評価値算出部が前記登録識別番号の評価値算出に利用する評価値を、前記第１評価値及び前記第２評価値から選択可能である
ことを特徴とする請求項１に記載の識別番号検索システム。
【請求項６】
前記評価値テーブルでは、前記登録識別番号の文字が、文字認識時に文字認識結果を得られなかったことを示す不読文字である場合の評価値が設定されていることを特徴とする請求項１〜５のいずれか１項に記載の識別番号検索システム。
【請求項７】
識別番号検索システムによって実行する識別番号検索方法であって、
検索対象とする識別番号を入力識別番号として取得する入力識別番号取得工程と、
紙葉類から取得した識別番号が登録識別番号として登録され、前記識別番号を含むように前記紙葉類を撮像した画像が登録画像として登録された識別番号データベースを参照して、各登録識別番号と前記入力識別番号との間で、対応する各桁を比較する比較工程と、
前記入力識別番号と前記登録識別番号との間で対応する桁を比較した比較結果に応じて前記桁に付与する評価値が設定されている評価値テーブルを参照して、前記比較工程における比較結果に応じて各桁の評価値を取得する評価値取得工程と、
前記登録識別番号の各桁について取得した評価値を合計して各登録識別番号の評価値を算出する評価値算出工程と、
各登録識別番号の評価値に基づいて、前記入力識別番号と一致する可能性がある登録識別番号を選択する選択工程と、
前記選択工程で選択された登録識別番号に対応する登録画像を表示部に表示する表示工程部と
を含んだことを特徴とする識別番号検索方法。
【発明の詳細な説明】
【技術分野】
【０００１】
この発明は、各紙葉類を識別するための識別番号が複数登録されているデータベースの中から、指定された識別番号を検索する識別番号検索システム及び識別番号検索方法に関する。
【背景技術】
【０００２】
紙葉類の中には、同じ種類の紙葉類それぞれを識別するための識別番号が印刷されているものが存在する。例えば、紙幣には、記番号と呼ばれる識別番号が印刷されており、同じ金種の紙幣であっても、それぞれの紙幣を記番号によって区別できるようになっている。銀行等の金融機関では紙幣処理装置を利用して大量の紙幣が処理されるが、紙幣処理装置内で紙幣を識別する際に記番号を読み取って、各紙幣が処理された取引に関する情報等を、記番号と関連付けてデータベースに蓄積しておくことにより、データベースを参照して各紙幣に関する取引情報等を確認することが可能となる。記番号の読み取りは、紙幣に印刷された記番号を文字認識することによって行われるが、記番号の文字認識結果に誤りがあると、誤認識された記番号がそのままデータベースに登録されてしまう。
【０００３】
これに対応するため、例えば、特許文献１には、記番号の文字認識時に文字認識結果を評価して、誤認識された可能性があれば、ユーザに記番号の手入力を求めるシステムが開示されている。これにより、記番号をデータベースに登録する段階で、文字認識結果の誤りがあればこれを修正して正確な記番号をデータベースに登録することができる。
【０００４】
また、例えば、特許文献２には、データベースに登録されている記番号の中に誤認識された文字が含まれる可能性を考慮して記番号を検索する方法が開示されている。この方法では、検索対象となる記番号とデータベースに登録されている記番号との間で、対応する桁の文字を比較して、全桁が完全に一致しない場合でも、所定割合以上の桁数で両者が一致すれば、検索対象の記番号である可能性があると判定する。
【先行技術文献】
【特許文献】
【０００５】
【特許文献１】国際公開第２０１０／０３２３３５号
【特許文献２】特許５１３３３４８号公報
【発明の概要】
【発明が解決しようとする課題】
【０００６】
しかしながら、上記特許文献１の技術では、誤認識された記番号がデータベースに登録されないように評価基準を厳しくすると、記番号を手入力しなければならない回数が増えてユーザの作業負担が増加する。また、ユーザが手入力する際に、記番号を誤って入力する可能性もある。
【０００７】
また、上記特許文献２の技術では、検索対象とする記番号とデータベースに登録されている記番号との間で１桁の違いを許容しただけで、大量の記番号が抽出されてしまい、抽出された記番号のデータを１つずつ確認する作業がユーザの負担になることがあった。また、例えば、データベースに登録されている記番号が実際には誤認識された文字を２桁含んでいたために、１桁の誤認識を許容してデータベースから抽出した記番号のデータを確認しても検索対象とする記番号が見つからず、作業が無駄になる場合があった。
【０００８】
本発明は、上記従来技術の課題を解消するためになされたもので、紙葉類の識別番号が複数登録されているデータベースの中から、指定された識別番号を効率よく検索することができる識別番号検索システム及び識別番号検索方法を提供することを目的とする。
【課題を解決するための手段】
【０００９】
上述した課題を解決し、目的を達成するため、本発明は、識別番号検索システムであって、検索対象とする識別番号を入力識別番号として取得する入力識別番号取得部と、紙葉類から取得した識別番号が登録識別番号として登録され、前記識別番号を含むように前記紙葉類を撮像した画像が登録画像として登録されている識別番号データベースと、前記入力識別番号と前記登録識別番号との間で対応する桁を比較した比較結果に応じて前記桁に付与する評価値が設定されている評価値テーブルを保存する記憶部と、前記識別番号データベースに保存されている各登録識別番号と前記入力識別番号との間で対応する各桁を比較して、比較結果に応じて、前記評価値テーブルに設定されている評価値を取得すると共に、各桁について取得した評価値を合計して各登録識別番号の評価値を算出する評価値算出部と、各登録識別番号の評価値に基づいて、前記入力識別番号と一致する可能性がある登録識別番号を選択する登録識別番号選択部と、前記登録識別番号選択部で選択された登録識別番号に対応する登録画像を表示するための表示部とを備えることを特徴とする。
【００１０】
また、本発明は、上記発明において、前記評価値テーブルでは、前記登録識別番号の文字と前記入力識別番号の対応する桁の文字とが一致する場合と一致しない場合とで異なる評価値が設定され、一致しない場合については、前記登録識別番号の文字が実際には前記入力識別番号の対応する桁の文字と一致している確率に基づいて評価値が設定されていることを特徴とする。
【００１１】
また、本発明は、上記発明において、前記評価値テーブルは、前記登録識別番号の文字が、前記入力識別番号の対応する桁の文字を文字認識した際に誤認識して得られた文字である確率を含むテーブルと、前記確率に応じて設定された評価値を含むテーブルとによって構成されることを特徴とする。
【００１２】
また、本発明は、上記発明において、前記評価値テーブルでは、前記評価値が、前記登録識別番号に含まれる文字の種類別に分けて設定されていることを特徴とする。
【００１３】
また、本発明は、上記発明において、前記評価値テーブルは、前記登録識別番号の文字と前記入力識別番号の対応する桁の文字とが一致する場合と一致しない場合とで異なる値が設定された第１評価値と、前記登録識別番号の文字と前記入力識別番号の対応する桁の文字とが一致する場合と一致しない場合とで異なる値が設定されると共に、さらに一致しない場合について、前記登録識別番号の文字が実際には前記入力識別番号の対応する桁の文字と一致している確率に基づいて異なる値が設定された第２評価値との２種類の評価値を含み、前記評価値算出部が前記登録識別番号の評価値算出に利用する評価値を、前記第１評価値及び前記第２評価値から選択可能であることを特徴とする。
【００１４】
また、本発明は、上記発明において、前記評価値テーブルでは、前記登録識別番号の文字が、文字認識時に文字認識結果を得られなかったことを示す不読文字である場合の評価値が設定されていることを特徴とする。
【００１５】
また、本発明は、識別番号検索システムによって実行する識別番号検索方法であって、検索対象とする識別番号を入力識別番号として取得する入力識別番号取得工程と、紙葉類から取得した識別番号が登録識別番号として登録され、前記識別番号を含むように前記紙葉類を撮像した画像が登録画像として登録された識別番号データベースを参照して、各登録識別番号と前記入力識別番号との間で、対応する各桁を比較する比較工程と、前記入力識別番号と前記登録識別番号との間で対応する桁を比較した比較結果に応じて前記桁に付与する評価値が設定されている評価値テーブルを参照して、前記比較工程における比較結果に応じて各桁の評価値を取得する評価値取得工程と、前記登録識別番号の各桁について取得した評価値を合計して各登録識別番号の評価値を算出する評価値算出工程と、各登録識別番号の評価値に基づいて、前記入力識別番号と一致する可能性がある登録識別番号を選択する選択工程と、前記選択工程で選択された登録識別番号に対応する登録画像を表示部に表示する表示工程部とを含んだことを特徴とする。
【発明の効果】
【００１６】
本発明によれば、識別番号検索システムは、検索対象として入力された入力識別番号と、紙葉類の識別番号として識別番号データベースに登録されている登録識別番号との間で対応する各桁を比較して登録識別番号の評価値を算出するが、評価値の算出は、各桁の比較結果に応じて付与する評価値が予め設定されている評価値テーブルを参照して行われる。そして、各登録識別番号の評価値に基づいて、入力識別番号と一致する可能性がある登録識別番号を選択して、選択した登録識別番号の画像として識別番号データベースに登録されている登録画像を表示部に表示する。これにより、登録識別番号が紙葉類の識別番号を誤認識した文字を含む場合でも、入力識別番号と一致する識別番号を効率よく見つけることができる。
【００１７】
また、本発明によれば、評価値テーブルでは、入力識別番号と登録識別番号との間で対応する桁の文字が一致した場合にこの桁の評価値を最高点とする一方で、一致しない場合でも、登録識別番号の文字が、実際には入力識別番号の文字と一致する確率が高ければ評価値が高くなるように点数が設定されている。例えば、登録識別番号の文字が、入力識別番号の文字を誤認識した文字である確率に応じて、各桁に付与する評価値の点数を設定することにより、登録識別番号が紙葉類の識別番号を誤認識して得られた可能性があれば、誤認識された可能性がない場合に比べて、登録識別番号の評価値が高くなる。これにより、評価値が高い順に登録識別番号に対応する登録画像を確認して、入力識別番号に一致する紙葉類の識別番号を効率よく見つけることができる。
【図面の簡単な説明】
【００１８】
【図１】図１は、本実施形態に係る識別番号検索システムで行われる処理の概要を説明する模式図である。
【図２】図２は、識別番号検索システムの構成概略を示すブロック図である。
【図３】図３は、記番号を文字認識した際に出力される認識結果と出力確率の例を示す図である。
【図４】図４は、文字認識時の出力確率に応じて設定された評価値の例を示す図である。
【図５】図５は、５桁の記番号を例に評価値を算出する方法を説明する図である。
【図６】図６は、別の５桁の記番号を例に評価値を算出する方法を説明する図である
【図７】図７は、さらに別の５桁の記番号を例に評価値を算出する方法を説明する図である。
【図８】図８は、識別番号検索システムでの処理の流れを示すフローチャートである。
【図９】図９は、表示部に表示される画面の例を示す図である。
【発明を実施するための形態】
【００１９】
以下に、添付図面を参照して、本発明に係る識別番号検索システム及び識別番号検索方法について詳細に説明する。識別番号検索システムは、複数の識別番号が蓄積されたデータベースを対象として、指定された識別番号を検索する機能を有する。識別番号の種類は特に限定されないが、例えば、紙幣、小切手、商品券等の紙葉類に印刷された識別番号を文字認識して蓄積したデータベースを対象に、識別番号の検索が行われる。以下では、紙幣に印刷された記番号を例に説明する。ただし、以下に示す記番号の構成等は一例であって、本発明がこれに限定されるものではない。
【００２０】
図１は、本実施形態に係る識別番号検索システムで行われる処理の概要を説明する模式図である。識別番号検索システムは、情報入力可能な操作部と、情報出力可能な表示部とを備えており、複数の記番号（識別番号）が登録された記番号データベースの中から、操作部を操作して入力された記番号と一致する記番号を検索する機能を有する。
【００２１】
まず、操作部を操作して、検索したい記番号を入力する。図１（ａ）の例では、検索対象として入力された識別番号は「Ａ３Ｏ１２４５６７９」という１０桁の紙幣の記番号である。この記番号は、１桁目及び３桁目が英字で、３桁目は英字のＯ（オー）である。１０桁のうち残りの８桁は数字となっている。なお、以下では、検索対象として入力された記番号を入力記番号、記番号データベース４０に登録されている記番号データを登録記番号と記載して区別する。
【００２２】
入力記番号が得られると、識別番号検索システムでは、図１（ｂ）に示すように記番号データベース４０に登録されている登録記番号のそれぞれを、入力記番号と比較して評価する処理が行われる。
【００２３】
記番号データベース４０には、登録記番号と登録画像とが含まれている。登録記番号とは、紙幣の記番号を文字認識して得られた文字認識結果である。登録画像とは、紙幣の記番号を含むように紙幣を撮像した画像である。登録画像は、紙幣に印刷された実際の記番号を目視確認することができれば、紙幣の一部領域を撮像した画像であってもよいし、紙幣全体を撮像した画像であってもよい。
【００２４】
登録画像は、紙幣の記番号を撮像した画像であるため、この画像を目視確認することにより、紙幣に実際に印刷されていた記番号を確認することができる。これに対して、登録記番号は、紙幣の記番号を文字認識して得られたデータであるため、文字認識結果に誤りがあると、誤認識した文字を含んだまま記番号データベース４０に登録されている。このため、例えば、入力記番号と登録記番号とが一致する場合でも、登録画像を確認した際に、紙葉類に印刷されていた実際の記番号が入力記番号と異なっている可能性がある。また、これとは逆に、入力記番号と登録記番号とが一致しない場合でも、登録画像を確認した際に、紙葉類に印刷されていた実際の記番号が入力記番号と一致している可能性がある。
【００２５】
識別番号検索システムでは、このように、登録記番号に、文字認識時に誤認識された文字が含まれる可能性を考慮して、記番号データベース４０に登録されている登録記番号の中から、入力記番号と一致する可能性がある複数の登録記番号を選択して、選択した登録記番号に対応する登録画像を表示部に表示できるようになっている。登録画像を順に確認することにより、入力記番号と一致する記番号の登録画像を見つけることができる。登録記番号の選択は、評価値テーブル５０を利用して行われる。
【００２６】
評価値テーブル５０は、検索対象として入力された入力記番号と記番号データベース４０に登録されている登録記番号との間で対応する各桁の文字を比較して、比較結果に基づいて、各桁の評価値を決定するためのテーブルである。図１（ｂ）に示す評価値テーブル５０の「入力」の項目は、入力記番号の各桁の文字を示し、「登録文字」の項目は入力記番号の桁に対応する登録記番号の桁の文字を示し、「評価値」の項目は「入力」及び「登録文字」の項目を満たす桁の評価値の点数を示している。例えば、ある桁で、入力記番号が英字のＯ（オー）である場合に、登録記番号の対応する桁の文字が英字のＯ（オー）であれば、両者は一致するので、この桁の評価値は１０点となる。
【００２７】
また、図１（ｂ）に示す評価値テーブル５０にあるように、入力が英字のＯ（オー）で、登録文字が英字のＤである場合には、両者は一致しないが、評価値を０（ゼロ）点とせず１点とする。これは、紙幣に印刷されていた記番号の文字が実際には英字のＯ（オー）であったにも拘わらず、文字認識時に、英字のＤと誤認識された可能性を考慮して、評価値を設定したものである。また、入力が英字のＯ（オー）で、登録文字が数字の０（ゼロ）である場合には、両者は一致しないが、評価値を０（ゼロ）点とせず９点とする。これは、紙幣に印刷されていた記番号の文字が実際には英字のＯ（オー）であったにも拘わらず、文字認識時に、数字として文字認識されたために、数字の０（ゼロ）と誤認識された可能性を考慮して、評価値を設定したものである。英字のＯ（オー）が英字のＤと誤認識される確率より、英字のＯ（オー）が数字の０（ゼロ）と誤認識される確率が高いため、登録文字が英字のＤである場合に比べて数字の０（ゼロ）である場合の方が、評価値が高く設定されている。なお、図１（ｂ）の評価値テーブル５０には一部の文字のみを示しているが、評価値テーブル５０は、これを参照すれば、記番号として利用される可能性がある全ての文字について、評価値を決定できるようになっている。
【００２８】
このように、評価値テーブル５０では、入力記番号の文字とこれに対応する登録記番号の文字とが一致する場合には評価値を１０点とする。一方、入力記番号の文字とこれに対応する登録記番号の文字とが一致しない場合には、登録記番号の文字が誤認識されたもので、実際には入力記番号の文字と一致している可能性を考慮して、この可能性に応じた点数を付与するように評価値が設定されている。評価値の設定方法についての詳細は後述する。
【００２９】
こうして、評価値テーブル５０を利用して、登録記番号の各桁の評価値が得られると、全ての桁の評価値を合計した値を算出して、これを登録記番号の評価値とする。例えば、図１（ｃ）に示すように、登録記番号「Ａ３Ｏ１２４５６７７」を同図（ａ）に示す入力記番号と比較すると、各桁の下側に示したように、１桁目〜９桁目までの文字は一致して（図中「○」）、１０桁目の文字のみが異なっている（図中「×」）。評価値テーブル５０にある通り、入力記番号と登録記番号との間で文字が一致する１桁目〜９桁目の各桁の評価値は１０点である。また、１０桁目については、入力記番号の文字が数字の９である所、登録記番号の文字が数字の７であるため、図１（ｂ）に示す評価値テーブル５０にある通り、評価値は０（ゼロ）点となる。この結果、図１（ｃ）に示すように、登録記番号「Ａ３Ｏ１２４５６７７」の評価値は９０点となる。
【００３０】
また、図１（ｄ）に示すように、登録記番号「Ａ３Ｄ１２４５６７９」を入力記番号と比較すると、３桁目のみが一致せず、他の９桁の文字は一致している。３桁目については、入力記番号の文字が英字のＯ（オー）である所、登録記番号の文字が英字のＤであるため、図１（ｂ）に示す評価値テーブル５０にある通り、評価値は１点となる。この結果、登録記番号「Ａ３Ｄ１２４５６７９」の評価値は９１点となる。
【００３１】
また、図１（ｅ）に示すように、登録記番号「ＡＢ０１２４５６７９」を入力記番号と比較すると、２桁目及び３桁目が一致せず、他の８桁の文字は一致している。２桁目については、入力記番号の文字が数字の３である所、登録記番号の文字が英字のＢであるため、図１（ｂ）に示す評価値テーブル５０にある通り、評価値は３点となる。また、３桁目については、入力記番号の文字が英字のＯ（オー）である所、登録記番号の文字が数字の０（ゼロ）であるため、図１（ｂ）に示す評価値テーブル５０にある通り、評価値は９点となる。この結果、登録記番号「ＡＢ０１２４５６７９」の評価値は９２点となる。
【００３２】
こうして、記番号データベース４０に登録されている全ての登録記番号を対象として評価値を算出すると、図１（ｆ）に示すように、入力記番号と一致する可能性がある、候補となる登録記番号が選択される。登録記番号の選択は、評価値の点数を指定して行うこともできるし、評価値が最も高い登録記番号から上位何位迄の登録記番号を候補とするか登録記番号の数や割合を指定して行うことも可能となっている。例えば、評価値が９０点以上の登録記番号を選択するよう指定すると、図１（ｆ）に示すように、９０点以上の登録記番号が選択され、選択された登録記番号が、評価値が高い順に並べ替えられる。
【００３３】
候補として選択された登録記番号が評価値の高い順に並べ替えられると、識別番号検索システムの表示部には、図１（ｇ）に示すように、入力記番号と、登録記番号に対応する登録画像とが表示される。表示部では、登録記番号の評価値が高い順に１つずつ登録画像を表示することもできるし、評価値が高い順に登録画像を並べて表示することも可能となっている。
【００３４】
図１（ｇ）の例では、同図（ｆ）に示すように評価値が最も高い登録記番号「ＡＢ０１２４５６７９」に対応して記番号データベース４０に登録されている登録画像１００が、最初に表示される。この登録画像１００を目視確認することにより、紙幣に実際に印刷されていた記番号は「Ａ３Ｏ１２４５６７９」であり、入力記番号と一致することを確認できる。これにより、登録画像１００に関連付けて管理されていた紙幣の情報を参照して、入力記番号と一致する記番号「Ａ３Ｏ１２４５６７９」の紙幣の取引情報等を確認することが可能となる。
【００３５】
例えば、入力記番号と登録記番号との間で各桁の文字を比較して、一致する場合は１０点とする一方で、一致しない場合には一律０点として評価した場合には、９桁の文字が一致する図１（ｃ）及び（ｄ）の登録記番号の評価値が９０点となり、８桁の文字が一致する同図（ｅ）の登録記番号の評価値が８０点となる。この結果、実際には図１（ｅ）の登録記番号の紙幣が入力記番号の紙幣であるにも拘わらず、入力記番号の紙幣とは異なる評価値９０点の登録画像を優先して確認することになる。図１では、３つの登録記番号を挙げて説明しているが、実際には評価値９０点の登録記番号が大量に得られる場合があり、評価値９０点の登録画像を全て確認した後、続いて評価値８０点の登録画像を確認して、図１（ｅ）の登録画像を発見するまでに多大な労力が必要となる可能性がある。また、図１（ｆ）に示すように候補となる登録記番号を選択する際に、登録記番号の候補数を例えば１００個と指定した場合に、評価値が９０点の登録記番号だけで１００個を超えてしまい、１００個の登録記番号に対応する登録画像を全て確認しても、入力記番号と一致する記番号の登録画像を発見できない可能性もある。
【００３６】
これに対して、本実施形態に係る識別番号検索システムでは、登録記番号が誤認識した文字を含んでいる可能性を考慮して、記番号に利用される各文字の評価値が設定された評価値テーブル５０を利用して、各登録記番号の評価値を算出することができる。例えば、図１（ｃ）に示すように、登録記番号の１０桁目の「７」が入力記番号の１０桁目の「９」を誤認識したものである可能性はほぼ０（ゼロ）に近いことから、この桁の評価値は０（ゼロ）点としている。その一方で、図１（ｄ）に示すように、登録記番号の３桁目の「Ｄ」が入力記番号の３桁目の「Ｏ（オー）」を誤認識したものである可能性は０（ゼロ）ではないため、これを考慮して、この桁の評価値を１点としている。また、図１（ｅ）については、２桁目及び３桁目の２桁で文字が一致しないが、２桁目で数字が英字として誤認識され３桁目で英字が数字として誤認識されている可能性があることから、この可能性を考慮した評価値がこれらの桁に付与されている。この結果、図１（ｆ）に示すように、評価値に基づいて登録記番号を選択した際に、１桁のみが異なる図１（ｃ）及び（ｄ）の登録記番号よりも、２桁が異なる同図（ｅ）の登録記番号の評価値が高くなり、同図（ｇ）に示すように入力記番号を早期に発見することが可能となる。
【００３７】
評価値テーブル５０は、実際に記番号を文字認識した際に、誤認識される確率に基づいて設定される。入力記番号と登録記番号との間で対応する桁の文字が異なる場合に、文字認識時に、これらの文字の間で誤認識が起こる可能性が極めて低い場合に評価値を０点とする一方で、誤認識が起こる可能性があれば、評価値を、誤認識される確率に応じた点数とする。評価値の点数は、誤認識される確率が高いほど高くなる。すなわち、入力記番号と登録記番号との間で対応する桁の文字が一致しない場合には、これが文字認識時の誤認識に起因するもので、実際には一致している可能性が高いほど、評価値の点数が高くなる。評価値テーブル５０の評価値は、例えば、大量の紙幣の記番号を文字認識する処理を実際に行って、誤認識される確率を算出して決定する。
【００３８】
評価値テーブル５０は、記番号データベース４０に登録されている記番号の種類に応じて、別々に設定できるようになっている。文字認識処理は、英字であることが分かっている桁では英字であることを前提に行われ、数字であることが分かっている桁では数字であることを前提に行われる。例えば、３桁の数字のうち１桁だけが英字で残り２桁が数字である場合は、英字である可能性が最も高い１桁を英字として文字認識して、残り２桁を数字として文字認識する。ところが、実際には数字である桁が誤って英字とされた場合には、これに伴って、実際には英字である桁が誤って数字とされることになる。この結果、３桁のうちいずれか１桁のみが英字である記番号では、３桁全てが数字である場合に比べて、誤認識を生ずる確率が高くなる。このように、記番号の各桁で利用される文字の種類が決まっている場合と、そうでない場合とで、誤認識を生ずる確率が変化する。また、記番号各桁で用いられる可能性がある文字の数や、フォント等によっても、誤認識を生ずる確率が変化する。記番号は、紙幣の種類によって、記番号の桁数、各桁で利用される文字の種類、フォント等が決められている。このため、例えば、Ａ国紙幣の記番号用の評価値テーブル５０、Ｂ国紙幣用の評価値テーブル５０というように、記番号の構成に応じて、別々に評価値テーブル５０を設定できるようになっている。また、同じ国の紙幣でも金種によって桁数、文字集、フォント等、記番号の構成が異なる場合には、金種別に、評価値テーブルを設定することもできる。
【００３９】
このように、識別番号検索システムでは、記番号データベース４０に登録されている登録記番号が、誤認識した文字を含んでいる可能性を考慮して各桁の評価値を設定した評価値テーブル５０を利用して、各登録記番号を評価する。そして、各登録記番号の評価値に基づいて、入力記番号と一致する可能性がある登録記番号を選択して、選択した登録記番号に対応する登録画像を、登録記番号の評価値が高い順に表示するので、登録画像を順に確認して入力記番号と一致する記番号の登録画像を検索する作業を容易に行うことができる。
【００４０】
次に、識別番号検索システムの構成について説明する。図２は、識別番号検索システムの構成概略を示すブロック図である。識別番号検索システムは、操作部１０、表示部１１、制御部２０及び記憶部３０を含んで構成されている。例えば、コンピュータ装置を利用して識別番号検索システムを実現して、記憶部３０に保存された記番号データベース４０の中から、操作部１０を利用して指定した入力記番号の情報を検索する。
【００４１】
操作部１０は、キーボードやマウス等から成る入力装置であり、入力記番号等の情報を入力するために利用される。表示部１１は、液晶ディスプレイ等の情報出力装置であり、入力記番号、登録記番号、登録画像等を表示するために利用される。
【００４２】
制御部２０は、入力記番号取得部２１、評価値算出部２２及び登録記番号選択部２３を有している。入力記番号取得部２１は、操作部１０を操作して入力された入力記番号を取得する機能を有する。評価値算出部２２は、入力記番号取得部２１が取得した入力記番号と、記番号データベース４０に登録されている登録記番号のそれぞれとを比較して、評価値テーブル５０に基づいて、各登録記番号の評価値を算出する機能を有する。登録記番号選択部２３は、評価値算出部２２が算出した各登録記番号の評価値に基づいて、入力記番号と一致する可能性がある登録記番号を選択して、選択した登録記番号に対応する登録画像を評価値順に表示部１１に表示する機能を有する。
【００４３】
記憶部３０は、半導体メモリやハードディスク等から成る不揮発性の記憶装置であり、内部には、登録記番号及び登録画像を含む記番号データベース４０と、評価値テーブル５０とが保存されている。登録記番号は、例えば、紙幣処理装置で処理された紙幣の記番号を読み取った文字認識結果であり、記番号データベース４０内には多数の登録記番号が保存されている。また、登録画像は、登録記番号を取得した紙幣の一部又は全部を、記番号を含むように、紙幣処理装置内で撮像した画像である。言い換えれば、登録画像に含まれる記番号を文字認識した結果が登録記番号である。
【００４４】
なお、記番号データベース４０と、評価値テーブル５０とが別々の記憶装置に保存されていてもよいし、記憶装置として、サーバ装置を利用する態様であっても構わない。また、図２には示していないが、登録記番号及び登録画像を取得した紙幣に関する取引情報が、登録記番号及び登録画像と関連付けて管理されており、入力記番号と一致する記番号の登録画像を見つけた後、この登録画像を取得した紙幣に関する取引情報を確認できるようになっている。
【００４５】
次に、評価値テーブル５０について説明する。図３は、記番号を文字認識した際に出力される認識結果と出力確率の例を示す図である。また、図４は、文字認識時の出力確率に応じて設定された評価値の例を示す図である。
【００４６】
図１の評価値テーブル５０では、１つのテーブルに、入力記番号の文字（図中「入力」）と、登録記番号の文字（図中「登録文字」）と、評価値とを含む例を示したが、図３及び図４に示すように評価値テーブル５０を複数のテーブルによって構成することもできる。図３及び図４の例では、図３の「入力」の項目が図１の「入力」の項目に対応し、図３の「認識対象」及び「出力」の項目が図１の「登録文字」の項目に対応し、図３の「出力確率」の項目に基づいて図４を参照して得られる「第１評価値」及び「第２評価値」の項目が図１の「評価値」に対応している。
【００４７】
図３の「入力」の項目は、紙幣の記番号を形成する文字を示し、「認識対象」の項目は、「入力」の文字を英字又は数字のいずれとして文字認識するかを示している。また、「出力」の項目は、「入力」の文字を文字認識した際に文字認識結果として出力される文字を示し、「出力確率」の項目は、「入力」の文字を文字認識した結果として「出力」の文字が出力される確率を示している。
【００４８】
例えば、図３（ａ）の例は、紙幣の記番号に含まれる「Ａ」を入力文字として、これを「英字」として文字認識した場合に、文字認識結果として出力される文字が「Ａ」である確率が「９９．８％」であり、「Ｈ」である確率が「０．１％」であり、文字認識できなかったことを示す「不読」とされる確率が「０．１％」であることを示している。同様に、「Ａ」を入力文字として、これを「数字」として文字認識した場合に、文字認識結果として出力される文字が「４」である確率が「１０．０％」であり、「不読」である確率が「９０．０％」であることを示している。なお、入力文字「Ａ」が正しく文字認識されて、文字認識結果として「Ａ」が出力された場合には、出力確率は、正しい文字認識結果が得られる確率（文字認識率）を示すことになり、入力文字「Ａ」が誤認識されて、例えば「Ｈ」等と出力された場合には、出力確率は、誤認識される確率（誤読率）を示すことになる。
【００４９】
図３（ｂ）は入力文字が「Ｂ」である場合の出力確率を示し、同図（ｃ）は入力文字が「８」である場合の出力確率を示し、同図（ｄ）は入力文字が「９」である場合の出力確率を示している。
【００５０】
図４の「比較結果」の項目は、入力文字と出力文字とが一致したことを示す「一致」、不一致であったことを示す「不一致」、及び出力文字が得られなかったことを示す「不読」のいずれであるかを示している。「出力確率」の項目は、認識結果が不一致である場合に、実際には一致する文字が誤認識されたために不一致となっている確率、すなわち誤読率を示し、図３に示す出力確率に対応している。「第１評価値」及び「第２評価値」の項目は、比較結果及び出力確率の項目を満たす場合の各桁の評価値を示している。図４の例では、第１評価値による評価値及び第２評価値の２種類の評価値のいずれかを選択して、登録記番号を評価できるようになっている。
【００５１】
図３及び図４に示す２つのテーブルによって構成された評価値テーブル５０を利用して、登録記番号の評価値を算出する方法について説明する。例えば、入力記番号の１桁目の文字が英字のＡで、登録記番号の１桁目の文字が英字のＡであった場合には、両者が一致することから、図４の比較結果の一致に該当し、第１評価値及び第２評価値は共に１０点となる。
【００５２】
また、例えば、入力記番号の１桁目が英字のＡで、登録記番号の１桁目が英字のＨである場合には、図３（ａ）より、英字のＡが英字のＨと誤認識して出力される出力確率は０．１％である。比較結果が不一致かつ出力確率が０．１％以下であることから、図４より、第１評価値及び第２評価値は共に０点となる。
【００５３】
また、例えば、入力記番号の１桁目が英字のＡで、登録記番号の１桁目が数字の４である場合には、図３（ａ）より、英字のＡが数字の４と誤認識して出力される出力確率は１０．０％である。比較結果が不一致かつ出力確率が２％より大きく１０％以下であることから、図４より、第１評価値は０点で、第２評価値は３点となる。
【００５４】
なお、入力文字に対する出力文字が、図３の出力の項目で示した文字に含まれていない場合には、誤認識によりこの出力文字が得られる確率が０％であることを示し、図４から第１評価値及び第２評価値は共に０点となる。例えば、図３（ａ）で、入力が英字のＡで、出力がＡ又はＨ以外の英字である場合は、同図に出力として含まれていないため、第１評価値及び第２評価値は共に０点となる。
【００５５】
また、記番号の文字認識処理を行った際に、ある桁で文字認識結果を得られなかった場合には、この桁に、不読文字として、文字を特定できないことを示す所定の文字を割り当てることがある。例えば、不読文字として「＊（アスタリスク）」が利用される。例えば、記番号「ＡＢ１２３」を文字認識して、１桁目の文字を文字認識できず、他の桁は文字認識できた場合には、登録記番号として、１桁目を不読文字「＊」で表した「＊Ｂ１２３」が記番号データベース４０に登録される。この登録記番号では、登録記番号の１桁目が不読文字であることから、図４より、１桁目の第１評価値及び第２評価値が共に５点となる。
【００５６】
図３に示すように認識対象が英字である場合と数字である場合とで出力確率を分けて、図４に示すように各出力確率に応じて評価値を設定することができる。すなわち、登録記番号として得られる文字の種類別に分けて、評価値を設定することができる。文字の種類については、図３に示すように英字と数字に分ける他、例えば、数字と、英字や記号等を含む数字以外の文字とに分けることもできる。文字の種類をどのように分けるかは、記番号を形成する文字の種類に応じて設定される。
【００５７】
このように、図３及び図４に示す２つのテーブルを利用して、評価値テーブル５０を実現することができる。ただし、これは評価値テーブルを作成する方法の一例を示したもので、図３及び図４から、図１に示すように、入力文字、登録文字及び評価値の関係を示す評価値テーブル５０を予め作成しておいて、これを利用する態様であっても構わない。
【００５８】
次に、図３及び図４を利用して、各登録記番号の評価値を算出する方法を具体的に説明する。図５〜図７は、５桁の記番号を例に評価値を算出する方法を説明する図である。図５〜図７の（ａ）は、検索対象として入力された入力記番号を示し、同図（ｂ）は４つの具体的な登録記番号を例に、評価値を算出した結果を示し、同図（ｃ）は同図（ｂ）の評価値を算出する方法を示している。なお、図６（ｃ）及び図７（ｃ）では、図５（ｃ）に示す登録記番号と同じ登録記番号についての説明は省略している。
【００５９】
図５は、５桁のうち１桁目及び２桁目の２桁を英字桁として、３〜５桁目の残り３桁を数字桁とするよう印字規則が定められた記番号の例を示している。このように印字規則が定められている場合には、認識率を高めるために、印字規則に基づいて１桁目及び２桁目を英字として文字認識を行って、３〜５桁目を数字として文字認識を行う。図５（ａ）に示すように入力記番号が「ＡＢ８８９」である場合に、同図（ｂ）に示すＮｏ．１〜４の登録記番号の評価値は、同図（ｃ）に示すように算出される。
【００６０】
具体的には、図５（ａ）に示す入力記番号「ＡＢ８８９」と、同図（ｂ）Ｎｏ．１の登録記番号「ＡＡ１４８」とを比較すると、同図（ｃ）のＮｏ．１の比較結果に示すように、１桁目のみが一致して（図中「○」）、２〜５桁目が不一致となる（図中「×」）。
【００６１】
入力記番号と登録記番号との間で、１桁目の文字が一致していることから、図４より、１桁目の第１評価値及び第２評価値は共に１０点となる。２桁目については、入力記番号が英字のＢで登録記番号が英字のＡであるが、図３（ｂ）には英字のＢを英字のＡと誤認識する場合が含まれていないので、図４より、２桁目の第１評価値及び第２評価値は共に０点となる。同様に、入力記番号と登録記番号との間で対応する各桁を比較して、図３及び図４に基づいて、各桁の評価値を決定する。そして、全ての桁で評価値が得られると、各桁の評価値の合計値を算出して、これを登録記番号の評価値とする。図５（ｃ）のＮｏ．１の例では、同図（ｂ）に示すように、第１評価値による評価値が１０点、第２評価値による評価値が１０点となる。
【００６２】
図５（ｂ）にＮｏ．２〜４として示す登録記番号についても、それぞれ同図（ｃ）に示すように、入力記番号と登録記番号との間で対応する各桁を比較して、一致する桁には第１評価値として１０点を付与し、第２評価値として１０点を付与する。一致しない桁については、図３を参照して出力確率を取得して、取得した出力確率に基づいて図４を参照して、各桁について、第１評価値による評価値と第２評価値による評価値とを取得する。そして、各桁について取得した評価値の合計値を算出して、これを各登録記番号の評価値とする。こうして、Ｎｏ．２〜Ｎｏ．４の各登録記番号について算出した、第１評価値による登録記番号の評価値及び第２評価値による登録記番号の評価値を、図５（ｂ）に示している。
【００６３】
識別番号検索システムでは、第１評価値及び第２評価値のいずれかを選択して、登録記番号の評価値を算出できるようになっている。また、識別番号検索システムでは、登録記番号の評価値が高い順に登録画像が表示されるので、図５の例では、第１評価値に基づく評価を行った場合には、最初に、図５（ｂ）のＮｏ．３に示す登録画像が表示される。この登録画像は記番号「ＡＢ８８９」の画像であるから、入力記番号と一致する記番号「ＡＢ８８９」の登録画像が得られたものとして、検索処理を終了することができる。また、第２評価値に基づく評価を行った場合にも、最初に、評価値が最も高いＮｏ．３の登録画像が表示されるので、入力記番号と一致する記番号の登録画像が得られたものとして検索処理を終了する。このように、第１評価値及び第２評価値を利用して算出した各登録記番号の評価値に基づいて、順に登録画像を表示することにより、入力記番号と一致する記番号の登録画像を容易に見つけることができる。なお、第１評価値及び第２評価値のいずれを利用して記番号を検索するかは、検索開始前に設定できるようになっているが、詳細は後述する。
【００６４】
図６は、図５と同様に、５桁のうち１桁目及び２桁目の２桁を英字桁として、３〜５桁目の残り３桁を数字桁とするよう印字規則が定められた記番号の例を示している。この場合も、図５の場合と同様に、１桁目及び２桁目を英字として文字認識が行われ、３〜５桁目を数字として文字認識が行われる。 図６の例では、記番号「ＡＢ８８９」が文字認識時に誤認識されて、同図（ｂ）のＮｏ．３に示すように、記番号データベース４０に、登録記番号「ＡＤ８８９」として登録されている。この場合は、図６（ｃ）に示すように、入力記番号と登録記番号との間で２桁目のみが不一致となる。入力記番号の英字のＢが、登録記番号にあるように英字のＤと誤認識して出力される出力確率は、図３（ｂ）より０．５％である。よって、この２桁目については、図４より、第１評価値が０点、第２評価値が１点となる。この結果、図６（ｂ）に示すように、第１評価値による登録記番号の評価値が４０点、第２評価値による登録記番号の評価値が４１点となる。
【００６５】
このため、第１評価値に基づく評価を行った場合には、最初に、図６（ｂ）に示すＮｏ．４の登録画像が表示される。このＮｏ．４の登録画像は、２桁目の文字の部分に汚れがあるため文字認識できず、登録記番号が不読文字「＊」を含む「Ａ＊８８９」となっているが、この画像を目視確認することにより、記番号が「ＡＣ８８９」であり入力記番号と一致しないと判断することができる。そして、次に、評価値の高いＮｏ．２又はＮｏ．３の登録画像が表示されるが、Ｎｏ．３の登録画像が表示された際に、この登録画像が記番号「ＡＢ８８９」の画像であることから、入力記番号と一致する記番号の登録画像が得られたものとして、検索処理を終了することができる。また、第２評価値に基づく評価を行った場合にも、最初にＮｏ．４の登録画像が表示された後、次にＮｏ．３の登録画像が表示されると、入力記番号と一致する記番号の登録画像が得られたものとして、検索処理を終了する。このように、登録記番号が誤認識された文字を含む場合でも、第１評価値及び第２評価値を利用して算出した各登録記番号の評価値に基づいて、順に登録画像を確認することにより、早い段階で入力記番号と一致する記番号の登録画像を見つけ出すことができる。
【００６６】
図７は、図５及び図６と同様に５桁のうち２桁を英字桁として残り３桁を数字桁とするが、印字規則が異なる記番号の例を示している。具体的には、英字桁とする２桁について、１桁目を必ず英字桁として、２桁目又は３桁目のいずれか一方を英字桁とするよう印字規則が定められている。このため、１桁目を英字、４桁目及び５桁目を数字として文字認識を行うことができるが、２桁目及び３桁目については、英字であるか数字であるかを限定せずに文字認識を行って、得られた文字認識結果に基づいて２桁目及び３桁目のどちらが英字桁であるかを判定する必要がある。このように、図７の例では、英字であるか数字であるかを限定できない桁が存在するため、図５及び図６の例に比べて文字認識時に誤認識が発生する確率が高くなる。
【００６７】
図７の例では、記番号「ＡＢ８８９」が文字認識時に誤認識されて、同図（ｂ）のＮｏ．３に示すように、記番号データベース４０に、登録記番号「Ａ８Ｂ８９」として登録されている。この場合は、図７（ｃ）に示すように、入力記番号と登録記番号との間で２桁目及び３桁目が不一致となる。入力記番号２桁目の英字のＢを数字として文字認識した場合に、登録記番号にあるように数字の８と誤認識される確率は、図３（ｂ）より９２．０％である。よって、この２桁目については、図４より、第１評価値が０点、第２評価値が８点となる。また、入力記番号３桁目の数字の８を英字として文字認識した場合に、登録記番号にあるように英字のＢと誤認識される確率は、図３（ｂ）より９７．０％である。よって、この３桁目については、図４より、第１評価値が０点、第２評価値が８点となる。この結果、図７（ｂ）に示すように、第１評価値による登録記番号の評価値が３０点、第２評価値による登録記番号の評価値が４６点となる。
【００６８】
このため、第１評価値に基づく評価を行った場合には、最初に、図７（ｂ）に示すＮｏ．４の登録画像が表示される。このＮｏ．４の登録画像は、記番号「ＡＣ８８９」の画像であり入力記番号「ＡＢ８８９」と一致しないと判断することができる。そして、次に評価値の高いＮｏ．２の登録画像が表示されるが、この登録画像は記番号「ＡＢ０８９」の画像で、入力記番号と一致しないと判断することができる。そして、次に評価値の高いＮｏ．３の登録画像が表示されると、この登録画像は記番号「ＡＢ８８９」の画像であるから、入力記番号と一致する記番号「ＡＢ８８９」の登録画像が得られたものとして検索処理を終了することができる。
【００６９】
一方、第２評価値に基づく評価を行った場合には、評価値が最も高いＮｏ．３の登録画像が最初に表示されるので、最初の確認で、入力記番号と一致する記番号の登録画像が得られたものとして、検索処理を終了する。このように、登録記番号の２桁で文字が誤認識されている場合でも、第１評価値及び第２評価値を利用して算出した各登録記番号の評価値に基づいて、順に登録画像を表示することにより、早い段階で入力記番号と一致する記番号の登録画像を見つけ出すことができる。
【００７０】
第１評価値では、入力記番号と登録記番号との間で文字が一致すれば１０点、不一致であれば全て０点とするのに対して、第２評価値では、不一致である場合には、不一致になった原因が文字認識時の誤認識にあり、実際には入力記番号と実際の記番号との間で文字が一致している可能性を考慮して、この可能性に応じた評価値を付与するようになっている。このため、図６及び図７の例で示したように、誤認識された文字を含むＮｏ．３の登録記番号では、第１評価値によって評価した場合に比べて第２評価値によって評価した場合の評価値が高くなり、第１評価値に基づいて登録画像を確認する場合に比べて、第２評価値に基づいて登録画像を確認する方が、より早く、入力記番号と一致する記番号の登録画像を見つけることができる。
【００７１】
一方、登録記番号に、誤認識された文字が含まれない場合には、図５の例で示したように、第１評価値に基づいて登録画像を評価した場合でも、早い段階で、入力記番号と一致する記番号の登録画像を見つけることができる。また、第１評価値を利用する評価では、一致すれば１０点、一致しなければ０点、不読文字であれば５点として、図３及び図４のテーブルを参照せずに登録記番号の評価値を算出することも可能であるため、評価値算出に係る処理負荷が軽減される。
【００７２】
このように、第１評価値による評価及び第２評価値による評価には、それぞれに利点があるため、識別番号検索システムでは、いずれの評価値を利用して検索処理を行うかを選択できるようになっている。
【００７３】
次に、識別番号検索システムで行われる処理の流れについて説明する。図８は、識別番号検索システムでの処理の流れを示すフローチャートである。また、図９は、表示部１１に表示される画面の例を示す図である。
【００７４】
まず、操作部１０を操作して、検索対象となる記番号を入力して（図８ステップＳ１）、検索対象とする記番号データベース４０を選択する（ステップＳ２）。例えば、Ａ国紙幣の記番号のデータベース、Ｂ国紙幣の記番号のデータベースというように、紙幣の発行国別に複数の記番号データベース４０が存在する場合に、検索する記番号データベース４０を選択することができる。同様に、例えば、Ａ銀行のＢ支店で処理された紙幣の記番号が登録されたデータベース、Ａ銀行のＣ支店で処理された紙幣の記番号が登録されたデータベースというように、紙幣が処理された拠点別に複数の記番号データベース４０が存在する場合に、検索する記番号データベースを選択することができる。また、記番号データベース４０を選択する際には金種を指定できるようになっている。
【００７５】
図９（ａ）は、入力記番号として記番号「ＡＢ８８９」が入力され、検索対象データベースとして「Ａ銀行Ｂ支店」で処理された紙幣の記番号が登録された記番号データベース４０が選択された例を示している。なお、図９（ａ）で＊（アスタリスク）で示している部分については、実際には処理結果に基づく文字や数字が表示される。
【００７６】
なお、識別番号検索システムでは、記番号データベース４０毎に、登録されている記番号の文字の種類等、記番号の構成が異なっている場合には、予め、記番号の構成に合わせて評価値テーブル５０が準備されている。図８のステップＳ２で、記番号データベース４０が選択されると、対応する評価値テーブル５０が自動的に選択されて、以下の処理が行われるようになっている。これにより、例えば、Ａ国紙幣の記番号が登録された記番号データベース４０では、Ａ国紙幣の記番号について設定された評価値テーブル５０を利用して各登録記番号が評価され、Ｂ国紙幣の記番号が登録された記番号データベース４０では、Ｂ国紙幣の記番号について設定された評価値テーブル５０を利用して各登録記番号が評価される。また、同じ国の紙幣であっても金種毎に記番号の構成が異なる場合には、記番号データベース４０を選択する際に金種を指定すると、この金種について設定された評価値テーブル５０が利用されることになる。
【００７７】
次に、操作部１０を操作して、検索方法を選択する（図８ステップＳ３）。具体的には、図９（ａ）に示す画面上で、「曖昧検索」と表示されたチェックボックスのオン、オフを変更する。このチェックボックスのチェックを外して曖昧検索をオフにした場合には、図３〜図７を参照しながら説明した第１評価値を利用した検索が行われる。一方、このチェックボックスをチェックして曖昧検索をオンにした場合には、第２評価値を利用した検索が行われるようになっている。
【００７８】
また、図９（ａ）の画面上で「閲覧済分除外」と表示されたチェックボックスは、これをチェックすると、既に目視確認した登録画像を、検索対象から除外できるようになっている。例えば、１回目の検索を行って入力記番号と一致する記番号の登録画像を見つけられず、２回目の検索を開始する際に、このチェックボックスをチェックしておくことにより、既に入力記番号と一致しないことを確認した登録画像に対応する登録記番号を、検索対象から除外することができる。
【００７９】
具体的には、曖昧検索をオフにして第１評価値による検索を行って、入力記番号と一致する記番号の登録画像を見つけられず、続けて、曖昧検索をオンにして第２評価値による検索を行う場合がある。このような場合に、２回目の検索を開始する前に、閲覧済分除外の機能をオンにすることで、既に入力記番号と一致しないことを確認済みの登録画像を、２回目の検索から除外する。
【００８０】
こうして、操作部１０を操作して、検索を開始するために必要な情報の入力を終えると、図９（ａ）に示す画面で検索ボタンを押して検索処理を開始する。なお、画面上のクリアボタンは、入力内容をクリアするためのボタンである。図９（ａ）に示す画面上では、文字に下線が付された部分及びチェックボックスで情報を入力できるようになっており、クリアボタンを押すと、これらの情報がクリアされる。
【００８１】
検索ボタンが押されて検索処理が開始されると、まず、評価値算出部２２が、図９（ａ）に示す画面で曖昧検索のチェックボックスがチェックされているか否か、すなわち曖昧検索がオンかオフかを確認する（図８ステップＳ４）。
【００８２】
曖昧検索がオンになっている場合（ステップＳ４；Ｙｅｓ）、評価値算出部２２は、図３〜図７を参照しながら説明したように、入力記番号と、記番号データベース４０に登録されている各登録記番号との間で各桁の文字を比較して、第２評価値によって各登録記番号の評価値を算出する（ステップＳ５）。
【００８３】
一方、曖昧検索がオフになっている場合（ステップＳ４；Ｎｏ）、評価値算出部２２は、図３〜図７を参照しながら説明したように、入力記番号と、記番号データベース４０に登録されている登録記番号との間で各桁の文字を比較して、第１評価値によって各登録記番号の評価値を算出する（ステップＳ６）。
【００８４】
こうして、評価値算出部２２は、記番号データベース４０に登録されている全ての登録記番号について、評価値を算出する（ステップＳ７；Ｎｏ）。そして、全ての登録記番号について評価値の算出を終えると（ステップＳ７；Ｙｅｓ）、表示部１１の画面上には、検索結果に関する情報と、評価値に基づいて選択された登録画像とが表示される（ステップＳ８）。表示部１１の画面上で、登録記番号の評価値が高いものから順に、対応する登録画像を確認して、入力記番号と一致する記番号の登録画像が見つからなかった場合には、引き続き検索を行うため（ステップＳ９；Ｎｏ）、ステップＳ２に戻って、検索対象とする記番号データベース４０や検索方法を変更して検索処理を継続する。一方、入力記番号と一致する記番号の登録画像が見つかると、検索を終了する（ステップＳ９；Ｙｅｓ）。
【００８５】
識別番号検索システムでは、記番号データベース４０に登録されている全ての登録記番号について評価値が算出された後、表示部１１に検索結果を表示する際に（ステップＳ８）、検索結果として表示部１１に表示する登録画像の数を、図９（ａ）に示すように、閲覧範囲１０１として指定することができる。閲覧範囲１０１の指定は、登録記番号の評価値に基づいて、上位何件を閲覧するか、又は上位何％分を閲覧するかによって指定できるようになっている。このとき、操作部１０を操作して、閲覧する登録画像の件数を指定すると、この件数が記番号データベース４０に登録されている登録記番号の全数に対して何％に当たるかが自動的に表示され、閲覧する登録画像を登録記番号の全数に対して何％にするかを指定するとこれに対応する件数が表示されるようになっている。また、画面上では、閲覧範囲１０１の下側に、指定した閲覧範囲１０１に含まれる登録記番号に関する情報が表示される。具体的には、入力記番号と全桁が一致した登録記番号の数が「完全一致」の件数として表示され、１桁のみが一致しなかった登録記番号の数が「１桁不一致」の件数として表示され、２桁が一致しなかった登録記番号の数が「２桁不一致」の件数として表示される。また、２桁不一致の登録記番号の件数については、さらに、英字及び数字の種類は一致しているが文字認識結果が異なるものが「英数一致」の件数として表示され、英字及び数字の種類が入れ替わる形で２桁が不一致となったものが「英数入替」の件数として表示される。これらの分布情報を確認しながら、閲覧範囲１０１を指定することができる。
【００８６】
閲覧範囲１０１が指定されると、登録記番号選択部２３が、評価値算出部２２によって算出された評価値に基づいて、指定された閲覧範囲内に含まれる登録記番号を選択すると共に、選択した登録記番号を評価値に基づいて並べ替える。そして、表示部１１には、図９（ｂ）に示すように、登録記番号の評価値が高いものから順に、登録記番号に対応する登録画像１０２が表示される。登録画像１０２の上側には、登録記番号と、この登録記番号が、閲覧範囲１０１として指定された範囲内に含まれる登録記番号のうち何位に当たるかを示す順位情報が表示され、登録画像１０２の下側には登録記番号の評価値の点数が表示される。
【００８７】
また、評価値の下側には、画面に表示されている登録記番号及び登録画像１０２について記録されている紙幣情報及び取引情報と、紙幣画像の有無を示す情報とが表示される。紙幣情報として、例えば、この登録画像１０２が取得された紙幣の金種等の情報が表示される。また、取引情報として、例えば、この登録画像１０２が取得された紙幣がＡ銀行のＢ支店で入金されたものであれば、この入金処理の日時や合計金額、関連する銀行口座等、この紙幣を含む取引に関する情報が表示される。また、図９（ａ）の例では、登録画像１０２として、記番号の画像が表示されているが、この登録画像１０２を取得した紙幣の全体を撮像した画像が保存されている場合には紙幣画像「有」と表示され、参照ボタンを押すことにより、別画面で、紙幣画像を確認することも可能となっている。なお、登録画像１０２については、紙幣の記番号の部分のみを撮像した画像が保存されている場合には、この画像が登録画像１０２として画面上に表示され、紙幣全体を撮像した画像が保存されている場合には、この画像の記番号の部分を拡大した画像が図９（ａ）に示すように登録画像１０２として表示されるようになっている。
【００８８】
図９（ａ）に示す画面上で、矢印ボタン１０３を操作すると、登録記番号選択部２３によって評価値に基づいて並べ替えられた登録記番号の順に、画面に表示する登録画像１０２を切り替えられるようになっている。また、再生ボタン１０４を押すと、登録記番号の評価値が高い順に、登録画像１０２が所定時間毎に自動的に切り替えられ、停止ボタン１０５を押すと切り替えを停止できるようになっている。また、例えば、画面上に表示された登録画像１０２に汚れが写り込んでいるために、登録画像１０２に含まれる記番号が入力記番号と一致するか否かを容易に判断できないような場合には、画面上のマークボタンを押して、この登録画像１０２にマークを付しておいて、引き続き他の登録画像１０２を確認できるようになっている。また、画面上のリストボタンを押して、登録記番号及び登録画像１０２を一覧表示することも可能となっている。
【００８９】
図９（ｂ）は、同図（ａ）に示すリストボタンを押して表示した一覧表示の画面例を示している。一覧表示の画面に表示される「閲覧済」の項目は、図９（ａ）の画面に登録画像１０２を表示して目視確認が行われたことを示す情報である。例えば、１回目は曖昧検索をオフにして検索を行って、続いて、曖昧検索をオンにして検索を行う場合に、図９（ａ）に示す画面で閲覧済分除外をオンにすることで、図９（ｂ）に示す閲覧済の項目の情報に基づいて、登録記番号が検索対象から除外されるようになっている。
【００９０】
また、図９（ｂ）に示す「マーク」の項目は、同図（ａ）の画面でマークボタンが押されたか否かを示す情報である。図９（ａ）に示す画面で、入力記番号と一致する可能性があると判断した登録画像１０２について、マークボタンを押してマークを付しながら、登録画像１０２を順に確認した後、リストボタンを押して、図９（ｂ）に示すように登録画像１０２を一覧表示する。一覧表示の画面上で「マーク」の項目名を押すと、マークが付された登録画像のみを並べて表示できるようになっている。こうして、マークが付された登録画像のみを並べて一覧表示した状態で、登録画像を比較しながら確認することにより、入力記番と一致する記番号の登録画像１０２を最終決定することができる。なお、図９（ｂ）の画面で戻るボタンを押すと、同図（ａ）の画面に戻るようになっている。
【００９１】
このように、識別番号検索システムでは、第１評価値及び第２評価値のいずれを利用して登録記番号を評価するかを設定して検索を行うことができる。また、登録画像１０２を確認する閲覧範囲１０１を指定して、登録記番号の評価値が高い順に、対応する登録画像１０２を表示部１１の画面上に表示しながら、入力記番号と一致する記番号の登録画像１０２を見つける作業を容易に行えるようになっている。
【００９２】
上述してきたように、本実施形態に係る識別番号検索システムによれば、記番号データベース４０に登録されている登録記番号が誤認識した文字を含む可能性を考慮して、入力記番号と一致する可能性のある登録記番号を選択することができる。また、登録記番号を、入力記番号と一致する可能性が高い順に並べ替えて、登録記番号に対応する登録画像を順に画面上に表示することができるので、登録記番号が誤認識した文字を含む場合でも、入力記番号に一致する記番号の登録画像を効率よく見つけることができる。
【産業上の利用可能性】
【００９３】
以上のように、本発明に係る識別番号検索システム及び識別番号検索方法は、紙葉類の識別番号が複数登録されているデータベースの中から、指定された識別番号を効率よく検索するために有用である。
【符号の説明】
【００９４】
１０  操作部
１１  表示部
２０  制御部
２１  入力記番号取得部
２２  評価値算出部
２３  登録記番号選択部
３０  記憶部
４０  記番号データベース
５０  評価値テーブル
【図１】
2016177383.tif 000003
【図２】
2016177383.tif 000004
【図３】
2016177383.tif 000005
【図４】
2016177383.tif 000006
【図５】
2016177383.tif 000007
【図６】
2016177383.tif 000008
【図７】
2016177383.tif 000009
【図８】
2016177383.tif 000010
【図９】
2016177383.tif 000011